(57)【要約】【課題】  収納空間が湿気るのを確実に防止できるようにした昇降式収納装置を提供する。【解決手段】  キッチン用フロアキャビネット１のカウンター１ａの一部に形成した昇降用開口５内に配置される収納棚２と、この収納棚２をカウンター下の収納空間１４に下降させるとともに、カウンター上に上昇させる昇降機構６とを備えた昇降式収納装置において、収納空間１４を換気する換気ファン３５を設けることで、収納空間１４が湿気るのを確実に防止することができる。収納空間１４の湿度を検出する湿度センサー３４を設けて、一定湿度以上の時に換気ファン３５を駆動制御することで、省電力化を図るとともに、耳障りなファン音を減少することができる。【選択図】  図８
2006247030.tif 000002
【特許請求の範囲】
【請求項１】
キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、
前記収納空間を換気する換気ファンを設けたことを特徴とする昇降式収納装置。
【請求項２】
前記収納空間の湿度を検出する湿度センサーを設けて、一定湿度以上の時に前記換気ファンを駆動制御することを特徴とする請求項１に記載の昇降式収納装置。
【請求項３】
前記換気ファンは、前記収納棚の天井側に取付けたことを特徴とする請求項１に記載の昇降式収納装置。
【請求項４】
前記収納棚の天板カウンターの下面に凹部を形成して、この凹部を前記換気ファンの排気用ダクトとすることを特徴とする請求項３に記載の昇降式収納装置。
【発明の詳細な説明】
【技術分野】
【０００１】
本発明は、キッチン用フロアキャビネットに設けられる昇降式収納装置に関する。
【背景技術】
【０００２】
一般に、キッチン用フロアキャビネットは、カウンター下に収納部を設けているから、収納物（皿、鍋、調味料等）を出し入れするには、調理作業等を一旦中断して屈んだ状態で収納部から収納物を出し入れする必要があった。
【０００３】
このため、フロアキャビネット上方の天袋に収納部を設けて、収納物を出し入れする際に、収納部を引き下ろせるようにしたものがある（特許文献１、２参照）。
【０００４】
しかしながら、特許文献１、２のような昇降式収納装置は、収納部を引き下ろした時でも、収納部の上段に収納物を出し入れしにくいという問題があった。
【０００５】
また、キッチンとダイニングとの間に壁面が無いオープン型の対面キッチンにおいては、設置すべき壁面が無いので、昇降式収納装置を設置しづらいという問題があった。
【０００６】
そこで、本出願人は、オープン型の対面キッチンに好適で、収納物を出し入れしやすくするために、キッチン用フロアキャビネットのカウンターの一部に形成した昇降用開口内に配置される収納棚（水切り棚）と、この収納棚をカウンター下の収納空間に下降させるとともに、カウンター上に上昇させる昇降機構とを備えた昇降式収納装置を提案した。
【特許文献１】特開２０００−３１６６４３号公報
【特許文献２】特開２００１−１４９２９７号公報
【発明の開示】
【発明が解決しようとする課題】
【０００７】
本出願人の提案に係る昇降式収納装置において、収納棚（特に水切り棚）を下降させた時に、収納空間が湿気るのを確実に防止したいという要望があった。
【０００８】
本発明は、前記要望に応えるためになされたもので、収納空間が湿気るのを確実に防止できるようにした昇降式収納装置を提供することを目的とするものである。
【課題を解決するための手段】
【０００９】
前記課題を解決するために、本発明は、キッチン用フロアキャビネットのカウンターの一部に形成した昇降用開口内に配置される収納棚と、この収納棚をカウンター下の収納空間に下降させるとともに、カウンター上に上昇させる昇降機構とを備えた昇降式収納装置において、前記収納空間を換気する換気ファンを設けたことを特徴とする昇降式収納装置を提供するものである。
【００１０】
必要な時だけ換気ファンを駆動するために、前記収納空間の湿度を検出する湿度センサーを設けて、一定湿度以上の時に前記換気ファンを駆動制御する構成とすることが好ましい。
【００１１】
湿気の多い収納棚を効果的に換気するために、前記換気ファンは、前記収納棚の天井側に取付けた構成とすることが好ましい。
【００１２】
コスト安にするために、前記収納棚の天板カウンターの下面に凹部を形成して、この凹部を前記換気ファンの排気用ダクトとする構成とすることが好ましい。
【発明の効果】
【００１３】
本発明によれば、収納空間を換気する換気ファンを駆動することで、収納空間が湿気るのを確実に防止することができる。また、換気によって収納棚に収納した食器等の収納物の乾きが早くなるので有利である。
【発明を実施するための最良の形態】
【００１４】
以下、本発明を実施するための最良の形態について、図面を参照しながら詳細に説明する。
【００１５】
図１および図２はキッチン用フロアキャビネット１であって、図１は収納棚（水切り棚）２が下降位置（不使用時）Ｄの斜視図、図２は収納棚２が上昇位置（使用時）Ｕの斜視図である。前記フロアキャビネット１は、キッチンとダイニング・リビングとの間に壁面が無いオープン型の対面キッチンを想定しているが、オープン型の対面キッチンでなくても可能である。
【００１６】
前記フロアキャビネット１のカウンターの右側位置にシンク３が設けられ、このシンク３の後方位置に収納棚２が配置されている。なお、シンク３の側方位置に収納棚２を配置することもできる。ここで、左右や前後の方向の表現は、キッチン側でシンク３の前に立ってダイニング・リビング側を向いた者が見た状態としている。
【００１７】
前記収納棚２は、フロアキャビネット１のカウンター１ａに形成された昇降用開口５（図４参照）内に配置されて、この収納棚２は、後述する昇降機構６によって、カウンター下の収納空間１４（図４参照）に下降させる下降位置Ｄと、カウンター上に上昇させる上昇位置Ｕとに昇降されるようになる。図２のように、前記昇降用開口５は、横長四角枠状のカバー枠８で覆われている。
【００１８】
前記収納棚２には、上下２段で食器類の水切り部２ａ，２ｂが設けられている。
【００１９】
前記収納棚２の天板カウンター４は、図１のように、下降位置Ｄでは、カバー枠８とともに昇降用開口５を覆ってフロアキャビネット１のカウンター面と僅かの隙間を隔てて対向し、カウンターの一部を構成することになるから、この天板カウンター４の上をカウンタースペース（作業スペース）として利用することができる。
【００２０】
この天板カウンター４の右側前面位置には、収納棚２を昇降操作するためのスイッチパネル７が取付けられ、このスイッチパネル７には、図３に詳細に示すように、上昇スイッチ７ａ、停止スイッチ７ｂ、下降スイッチ７ｃが設けられるとともに、点滅ランプやスピーカー等でなるトラップ給水報知・警報部７ｄ、異物挟み込み報知・警報部７ｅ、過積載報知・警報部７ｆが設けられている。
【００２１】
図７（ａ）は天板カウンター４を省略した収納棚２の斜視図である。前記収納棚２は、横長長方形状の上部フレーム２Ａと下部フレーム２Ｂと、縦長長方形状の左側部フレーム２Ｃと右側部フレーム２Ｄとで横長四角枠状に溶接等で一体的に組み立てられていて、下部フレーム２Ｂの下部に水受けトレー１０（図５参照）を取付けている。
【００２２】
前記上部フレーム２Ａと下部フレーム２Ｂと左側部フレーム２Ｃと右側部フレーム２Ｄとの裏面（ダイニング・リビング側）には化粧板１１が取付けられて覆われるとともに、左側部フレーム２Ｃと右側部フレーム２Ｄ、および上部フレーム２Ａには、化粧板１２ａ〜１２ｃがそれぞれ取付けられている。なお、化粧板１１が透光性であると、ダイニング・リビング側の光で収納棚２内を明るくすることができる。
【００２３】
図４〜図６に示すように、前記昇降用開口５に対応するフロアキャビネット１の内部には、下降位置Ｄの収納棚２を収納する収納空間１４が設けられ、この収納空間１４は、左右の側板１４Ａ，１４Ｂと底板１４Ｃとで上面が開口した略Ｕ字状に形成されている。そして、左右の側板１４Ａ，１４Ｂと底板１４Ｃとのシンク３側の面は背板１４Ｄで閉じられているとともに、ダイニング側の面は点検用扉１４Ｅで開閉可能に閉じられている。
【００２４】
前記収納空間１４内には、収納棚２の昇降機構６等が収納されている。すなわち、前記収納空間１４の左右の側板１４Ａ，１４Ｂの内面には、上下方向に延在して、奥行き方向に一対のガイドレール１５がそれぞれ固定され、この一対のガイドレール１５の間に位置する左右の側板１４Ａ，１４Ｂの内面には、ガイドレール１５の上端部と下端部とに対応して、上プーリ１６Ａと下プーリ１６Ｂとがそれぞれ固定されている。
【００２５】
前記収納棚２の左側部フレーム２Ｃと右側部フレーム２Ｄとの下部には、図７（ｂ）に示すように、Ｈ字状のブラケット１７がそれぞれ固定され、各ブラケット１７には、前記対応するガイドレール１５に上下摺動可能に嵌り込む合成樹脂製のシュー１８がそれぞれ取付けられている。
【００２６】
そして、前記ブラケット１７のシュー１８がガイドレール１５で上下摺動するようにガイドされることにより、収納棚２がカウンター下の下降位置Ｄと、カウンター上の上昇位置Ｕとに昇降動されるようになる。
【００２７】
前記収納空間１４の底板１４Ｃの左右方向のほぼ中央位置には、電動モータ２０と、この電動モータ２０でチェーン２１ａを介して駆動される２個のドラム２１Ａ，２１Ｂとが設置されて、一方のドラム２１Ａには、左側のベルト２２Ａが下方から巻き付けられて内端部が係止されるとともに、他方のドラム２１Ｂには、右側のベルト２２Ｂが上方から巻き付けられて内端部が係止されている。
【００２８】
前記左側のベルト２２Ａは、左の側板１４Ａの下プーリ１６Ｂと上プーリ１６Ａとに順に掛け回されて、その外端部が前記収納棚２の左側部フレーム２Ｃのブラケット１７に係止されるとともに、前記右側のベルト２２Ｂは、右の側板１４Ｂの下プーリ１６Ｂと上プーリ１６Ａとに順に掛け回されて、その外端部が前記収納棚２の右側部フレーム２Ｄのブラケット１７に係止されるようになる。
【００２９】
したがって、前記スイッチパネル７の上昇スイッチ７ａをプッシュ操作することで、電動モータ２０が正転すると、各ドラム２１Ａ，２１Ｂが図５において矢印ａ回りに駆動されて、左右のベルト２２Ａ，２２Ｂが各ドラム２１Ａ，２１Ｂに巻き取られることで、収納棚２の左右のブラケット１７が左右のベルト２２Ａ，２２Ｂで引っ張り上げられながらガイドレール１５でガイドされて上昇することにより、収納棚２がカウンター上の上昇位置Ｕに上昇されるようになる。前記収納棚２が上昇位置Ｕまで上昇されると、電動モータ２０が停止して、逆転しないようにブレーキが掛けられるとともに、上昇スイッチ７ａをさらにプッシュ操作しても電動モータ２０が正転されないように制御される。
【００３０】
前記スイッチパネル７の下降スイッチ７ｃをプッシュ操作することで、電動モータ２０のブレーキが解除されて、収納棚２の左右のブラケット１７がガイドレール１５でガイドされて、収納棚２が自重で下降することにより、収納棚２がカウンター下の下降位置Ｄに下降されるようになる。なお、図５において、１７´は、下降位置Ｄのブラケットを示している。
【００３１】
この場合、電動モータ２０を逆転させながら左右のベルト２２Ａ，２２Ｂを各ドラム２１Ａ，２１Ｂに巻き戻すようになるが、この電動モータ２０の逆転は、収納棚２が自重で急激に下降しないようにブレーキを掛けるように設定されている。なお、下降スイッチ７ｃをプッシュ操作すると、収納棚２がカウンター下の下降位置Ｄに自動下降されるが、下降位置Ｄの手前（例えば５０ｍｍ程度）までは、自動下降するが、それ以上の下降は、下降スイッチ７ｃをプッシュ操作し続けなければ下降しないようにすれば（いわゆる２段押し）、安全性を高めることができる。
【００３２】
また、前記スイッチパネル７の停止スイッチ７ｂをプッシュ操作すると、電動モータ２０が停止して、収納棚２を上昇途中位置または下降途中位置でストップさせることができる。
【００３３】
前記収納空間１４の底板１４Ｃの上には、制御ボックス３２（図４参照）が取付けられ、この制御ボックス３２の制御回路に、前記電動モータ２０、各スイッチ７ａ〜７ｃ、各報知・警報部７ｄ〜７ｆ等が接続されている。
【００３４】
一方、前記収納棚２の水受けトレー１０の底部は、中央部が下向きに窪むように形成されて、この底部の中央部には排水口１０ａが設けられている。この排水口１０ａにフレキシブルな排水パイプ２５の一端２５ａが連結されるとともに、この排水パイプ２５の他端２５ｂは、前記収納空間１４の背板１４Ｄの内壁面に取付けた水受けマス２６の上部位置に連結されている。
【００３５】
前記水受けマス２６は、上部が開口した四角箱状であり、この水受けマス２６の下部にはＵ字状の排水トラップ２７の入口端が連結されるとともに、この排水トラップ２７の出口端には排水管２８が連結されている。この排水管２８は、前記収納空間１４の底板１４Ｃの開口１４ａから下水配管等（図示せず。）に連結されている。
【００３６】
さらに、前記収納空間１４の背板１４Ｄの内壁面に取付けた水受けマス２６とほぼ同じ高さ位置に、傾斜させた水受け樋３０が背板１４Ｄの内壁面に水密状態で取付けられて、この水受け樋３０の傾斜下側は、水受けマス２６の上部位置に連結されている。この水受け樋３０は、前記昇降用開口５の前側のほぼ真下に位置させている。
【００３７】
図８に示すように、前記収納棚２の上部フレーム２Ａの化粧板１２ｃの下面、つまり収納棚２の天井側に換気ファン３５が取付けられ、この換気ファン３５には、一定湿度以上の時に換気ファン３５を駆動制御するために、湿度を検出する湿度センサー３４が取付けられている。
【００３８】
前記天板カウンター４は、後述する中板４ｃが化粧板１２ｃを介して収納棚２の上部フレーム２Ａに複数の金具３６で固定されている。
【００３９】
図１０（ａ）は、天板カウンター４の裏面図、図１０（ｂ）は図１０（ａ）のＡ−Ａ線断面図であり、横長長方枠形状の基礎フレーム３７の上面（図１０では下面になる。）に横長長方形状の化粧天板４ａを固定するとともに、基礎フレーム３７の外側面に化粧側板４ｂをそれぞれ固定している。また、基礎フレーム３７の内側面に中板４ｃを落とし込んで固定している。
【００４０】
前記中板４ｃの長さ方向の中央部には、前方〔図１０（ａ）において右側〕が開放した切欠き４ｄを形成して、この切欠き４ｄの両側の中板４ｃに補強板４ｅを固定するとともに、この補強板４ｅの両側方の中板４ｃにも補強板４ｆを固定している。そして、前記天板カウンター４の下面には、補強板４ｅと切欠き４ｄとで凹部４ｇが形成されることになる。
【００４１】
前記換気ファン３５は、図９（ａ）に示すように、前記凹部４ｇに嵌り込む四角箱形状の本体３５ａを有し、この本体３５ａ内に電動シロッコファン３８が内蔵されている。
【００４２】
前記本体３５ａの前面には、図７（ａ）のように排気開口３５ｂが形成され、この排気開口３５ｂは、前記凹部４ｇと前記化粧板１２ｃとで四周囲を囲んで形成された排気用ダクト３９に臨むようになる。
【００４３】
前記収納棚２の上部フレーム２Ａの前面と天板カウンター４の基礎フレーム３７の内面との間には大きな隙間Ｓが形成されている。また、収納棚２の上部フレーム２Ａの外周面には、逆Ｌ字状のパッキン４０が固定され、このパッキン４０と基礎フレーム３７の内面との間には小さな隙間Ｓ´が形成されている。
【００４４】
これにより、換気ファン３５の本体３５ａの排気開口３５ｂは、排気用ダクト３９から隙間Ｓ，Ｓ´を介して天板カウンター４の下面側で外部に連通するようになる。
【００４５】
前記のようなフロアキャビネット１であれば、フロアキャビネット１のカウンターに形成した昇降用開口５内に設置した収納棚２を、不使用時にはカウンター下の収納空間１４に下降させるとともに、使用時にはカウンター上に上昇させるようにしたから、キッチンとダイニングとの間に壁面が無いオープン型の対面キッチンに好適であって、収納棚２をカウンター上に上昇させれば、屈まずに収納棚２から収納物を出し入れできるようになる。
【００４６】
また、収納棚２は、カウンター上に上昇させるだけであるから、収納棚２のいずれの段にある食器等の収納物でも出し入れしやすくなるとともに、収納棚２をカウンター下の収納空間１４に下降させれば、カウンター上面を広く使えるようになるとともに、カウンター上での別の作業の邪魔にならなくなる。
【００４７】
一方、前記収納棚２に換気ファン３５を設けたから、図９（ｂ）のように、収納棚２をカウンター下の収納空間１４に下降させた状態で、換気ファン３５の電動シロッコファン３８を駆動すれば、収納空間１４内の湿気は、矢印ｆで示すように、換気ファン３５の本体３５ａの吸気口３５ｃから吸引されるとともに、電動シロッコファン３８を介して排気開口３５ｂから排気され、排気用ダクト３９から隙間Ｓ，Ｓ´を通って天板カウンター４の下面側で、基礎フレーム３７とカバー枠８との間の隙間Ｓ´´から外部（カウンター１ａ上）に排出されるようになるから、収納空間１４内が湿気るのを確実に防止することができる。また、換気によって収納棚２に収納した食器等の収納物の乾きが早くなるので有利である。
【００４８】
さらに、湿度センサー３４で収納空間１４内の湿度を検出して、一定湿度以上の時に換気ファン３５を駆動制御すれば、必要な時だけ換気ファン３５を駆動することで、省電力化を図るとともに、耳障りなファン音を減少することができる。
【００４９】
また、換気ファン３５を収納棚２の天井側に取付けることで、湿気の多い収納棚２を効果的に換気することができる。
【００５０】
さらに、天板カウンター４の下面に形成した凹部４ｇを換気ファン３５の排気用ダクト３９として利用したから、換気ファン３５の排気用ダクトを別に設ける必要が無くなって、コスト安になる。
【００５１】
前記実施形態では、換気ファン３５を収納棚２の天井側に取付けたが、収納空間１４内に取付けることもできる。
【図面の簡単な説明】
【００５２】
【図１】本発明の実施形態を示すキッチン用フロアキャビネットであり、収納棚が下降位置の斜視図である。
【図２】本発明の実施形態を示すキッチン用フロアキャビネットであり、収納棚が上昇位置の斜視図である。
【図３】スイッチパネルの正面図である。
【図４】昇降式収納装置をダイニング・リビング側から見た斜視図である。
【図５】（ａ）は昇降式収納装置をダイニング・リビング側から見た正面図である。
【図６】（ａ）は収納棚を省略した昇降式収納装置の平面図、（ｂ）は昇降式収納装置の要部断面側面図である。
【図７】（ａ）は天板カウンターを省略した収納棚の斜視図、（ｂ）はガイドレールとブラケットの斜視図である。
【図８】（ａ）は収納棚を下方から見上げた斜視図、（ｂ）は換気ファン部分の拡大斜視図である。
【図９】図８（ａ）のＢ−Ｂ線に相当する断面図であり、（ａ）は収納棚の上昇位置の図、（ｂ）は収納棚の下降位置の図である。
【図１０】（ａ）は換気ファンを取付ける前の天板カウンターの裏面図、（ｂ）は（ａ）のＡ−Ａ線断面図である。
【符号の説明】
【００５３】
１      キッチン用フロアキャビネット
１ａ    カウンター
２      収納棚
４      天板カウンター
４ｇ    凹部
５      昇降用開口
６      昇降機構
１４    収納空間
３４    湿度センサー
３５    換気ファン
３９    排気用ダクト
【図１】
2006247030.tif 000003
【図２】
2006247030.tif 000004
【図３】
2006247030.tif 000005
【図４】
2006247030.tif 000006
【図５】
2006247030.tif 000007
【図６】
2006247030.tif 000008
【図７】
2006247030.tif 000009
【図８】
2006247030.tif 000010
【図９】
2006247030.tif 000011
【図１０】
2006247030.tif 000012